(57)【要約】【課題】ネットワーク上のどの装置で論理アドレスを変換しても付加的な論理アドレスサービスを起動することを可能にする。【解決手段】本発明は、論理アドレス管理装置の論理アドレスデータベースに、表論理アドレスに対応するアプリケーション実行装置への転送アドレスと、裏論理アドレスに対応する実アドレスを格納し、転送アドレスにより付加的な論理アドレスサービスのアプリケーションロジックを起動し、さらに、実アドレスを元に付加的な論理アドレスサービスのアプリケーションロジックを実行する。【選択図】　　　図１
2004070754.tif 000002
【特許請求の範囲】
【請求項１】
通信ネットワークサービスを提供するシステムにおけるアプリケーションロジックを必要とする付加的な論理アドレスサービスを起動させるための論理アドレスサービス起動方法において、
論理アドレスを管理する論理アドレス管理装置では、通信相手の認識に用いる論理アドレスである表論理アドレスに対するアドレスリストとして、アプリケーションを実行するアプリケーション実行装置への転送アドレスを保持し、
付加的な論理アドレスサービスの実行に用いる論理アドレスである裏論理アドレスに対するアドレスリストとして、実サービスアドレスを保持し、
前記アプリケーション実行装置では、前記付加的な論理アドレスサービスのアプリケーションロジックにより、前記実サービスアドレスを用いて前記付加的な論理アドレスサービスを実行することを特徴とする論理アドレスサービス起動方法。
【請求項２】
前記論理アドレス管理装置が、ネットワーク上の装置からの前記表論理アドレスの論理アドレス変換要求に対してアドレスリストとして転送アドレスを返却し、
前記ネットワーク上の装置は、返却された前記アドレスリスト中の転送アドレスにより、前記アプリケーション実行装置にアクセスすることで、アプリケーションロジックを起動する請求項１記載の論理アドレスサービス起動方法。
【請求項３】
前記アプリケーション実行装置が、前記転送アドレスから一意に定まる裏論理アドレスを抽出する請求項２記載の論理アドレスサービス起動方法。
【請求項４】
前記アプリケーション実行装置が、前記論理アドレス管理装置に対し、前記裏論理アドレスのアドレス変換要求を行い、該論理アドレス管理装置から返却されたアドレスリスト中の実サービスアドレスを用いて、付加的な論理アドレスサービスを実行する請求項２記載の論理アドレスサービス起動方法。
【請求項５】
通信ネットワークサービスを提供するシステムにおけるアプリケーションロジックを必要とする付加的な論理アドレスサービスを起動させるための論理アドレス管理装置であって、
通信相手の認識に用いる論理アドレスである表論理アドレスに対するアドレスリストとして転送アドレスを、付加的な論理アドレスサービスの実行に用いる論理アドレスである裏論理アドレスに対するアドレスリストとして、実サービスアドレスを保持するアドレス保持手段と、
論理アドレス変換要求に対してアドレスリストとして転送アドレスもしくは、実サービスアドレスを返却するアドレス応答手段と、を有することを特徴とする論理アドレス装置。
【請求項６】
通信ネットワークサービスを提供するシステムにおけるアプリケーションロジックを必要とする付加的な論理アドレスサービスを起動させるためのアプリケーション実行装置であって、
実サービスアドレスを用いて付加的な論理アドレスサービスを実行するアプリケーション実行手段を有することを特徴とするアプリケーション実行装置。
【請求項７】
通信ネットワークサービスを提供するシステムにおけるアプリケーションロジックを必要とする付加的な論理アドレスサービスを起動させるための論理アドレス管理装置が実行する論理アドレスサービス管理プログラムであって、
通信相手の認識に用いる論理アドレスである表論理アドレスに対するアドレスリストとして転送アドレスを、付加的な論理アドレスサービスの実行に用いる論理アドレスである裏論理アドレスに対するアドレスリストとして、実サービスアドレスを記憶手段に保持させるステップと、
論理アドレス変換要求に対してアドレスリストとして転送アドレスもしくは、実サービスアドレスを返却するステップと、を実行することを特徴とする論理アドレスサービス管理プログラム。
【請求項８】
通信ネットワークサービスを提供するシステムにおけるアプリケーションロジックを必要とする付加的な論理アドレスサービスを起動させるためのアプリケーション実行装置が実行する論理アドレスサービス起動プログラムであって、
転送アドレスに対して一意に定まる裏論理アドレスを抽出するステップと、
論理アドレス管理装置との間で論理アドレス変換を行うステップと、
付加的な論理アドレスサービスのアプリケーションロジックを実行するステップと、実行することを特徴とする論理アドレスサービス起動プログラム。
【請求項９】
通信ネットワークサービスを提供するシステムにおけるアプリケーションロジックを必要とする付加的な論理アドレスサービスを起動させるための論理アドレス管理装置が実行する論理アドレスサービス管理プログラムを格納した記憶媒体であって、
通信相手の認識に用いる論理アドレスである表論理アドレスに対するアドレスリストとして転送アドレスを、付加的な論理アドレスサービスの実行に用いる論理アドレスである裏論理アドレスに対するアドレスリストとして、実サービスアドレスを記憶手段に保持させるステップと、
論理アドレス変換要求に対してアドレスリストとして転送アドレスもしくは、実サービスアドレスを返却するステップと、を実行するプログラムを格納したことを特徴とする論理アドレスサービス管理プログラムを格納した記憶媒体
【請求項１０】
通信ネットワークサービスを提供するシステムにおけるアプリケーションロジックを必要とする付加的な論理アドレスサービスを起動させるためのアプリケーション実行装置が実行する論理アドレスサービス起動プログラムを格納した記憶媒体であって、
転送アドレスに対して一意に定まる裏論理アドレスを抽出するステップと、
論理アドレス管理装置との間で論理アドレス変換を行うステップと、
付加的な論理アドレスサービスのアプリケーションロジックを実行するステップと、実行するプログラムを格納したことを特徴とする論理アドレスサービス起動プログラムを格納した記憶媒体。
【発明の詳細な説明】
【０００１】
【発明の属する技術分野】
本発明は、論理アドレスサービス起動方法及び論理アドレス管理装置及びアプリケーション実行装置及び論理アドレスサービス管理プログラム及び論理アドレスサービス起動プログラム及び論理アドレスサービス管理プログラムを格納した記憶媒体及び論理アドレスサービス起動プログラムを格納した記憶媒体に係り、特に、特に、通信ネットワーク上で通信ネットワークサービスを提供するシステムにおける論理アドレスサービスを起動させるための論理アドレスサービス起動方法及び論理アドレス管理装置及びアプリケーション実行装置及び論理アドレスサービス管理プログラム及び論理アドレスサービス起動プログラム及び論理アドレスサービス管理プログラムを格納した記憶媒体及び論理アドレスサービス起動プログラムを格納した記憶媒体に関する。
【０００２】
【従来の技術】
従来、ネットワーク上のサービスにおいて、ＥＮＵＭ（ＲＦＣ２９１６）や特開２０００−１４８６３６に開示されているような、ＩＰ電話、電子メール、インスタントメッセージ、ＷＷＷ等の複数のサービスのアドレスを１つの論理的なアドレスや番号によりアクセス可能にする方法が、公知の技術として知られている。
【０００３】
論理アドレス（論理番号）から複数の実サービスのアドレスを記述したアドレスリストへのアドレス変換は、論理アドレスとそれに対応するアドレスリストの組を、ネットワーク上の論理アドレス管理装置で管理することにより、ネットワーク上のさまざまな装置から可能になる。アドレス変換を行う装置や装置上のアプリケーションからのネットワークを介した論理アドレス変換要求に対し、論理アドレス管理装置は、アドレスリストを応答として返す。例えば、ＥＮＵＭでは、インターネットで運用されているＤＮＳ（Ｄｏｍａｉｎ　Ｎａｍｅ　Ｓｙｓｔｅｍ）の仕組みが用いられる。
【０００４】
アドレスリストには、複数の異なるサービスのアドレスが記述可能であることから、論理アドレスを固定的で単一の実サービスアドレスに単純に変換するだけでなく、応答されたアドレスリストを元にアプリケーションロジックを実行する付加的な論理アドレスサービスも実現可能である。例えば、アドレスリストの中から時間に応じてサービスを１つだけ選択してアクセスするようなアプリケーションロジックや、アドレスリストの上から順番通りにアクセスするアプリケーションロジックが、論理アドレスサービスの付加サービスとして起動される。
【０００５】
【発明が解決しようとする課題】
しかしながら、上記従来の論理アドレス管理装置を用いる方法では、論理アドレス管理装置がインターネットのようなオープンなネットワーク上で運用され、論理アドレスが複数の異なる事業者間を跨がって利用可能なアドレス形態である場合には、アドレス変換が付加的な論理アドレスサービスのアプリケーションロジックが搭載されている装置で行われる保証はなく、論理アドレスサービスのアプリケーションロジックが搭載されていない端末装置やルーチング途中の装置でアドレス変換されてしまう場合も想定される。
【０００６】
このように、従来の技術では、付加的な論理アドレスサービスのアプリケーションロジックを搭載していない装置で論理アドレスをアドレスリストに変換すると、付加的な論理アドレスサービスの実行に必要なアドレスリストと付加的な論理アドレスサービスのアプリケーションロジックのうち、アドレスリストしか存在しないため、付加的な論理アドレスサービスを起動することができないという問題がある。
【０００７】
本発明は、上記の点に鑑みなされたもので、ネットワーク上のどの装置で論理アドレスを変換しても付加的な論理アドレスサービスを起動することが可能な論理アドレスサービス起動方法及び論理アドレス管理装置及びアプリケーション実行装置及び論理アドレスサービス管理プログラム及び論理アドレスサービス起動プログラム及び論理アドレスサービス管理プログラムを格納した記憶媒体及び論理アドレスサービス起動プログラムを格納した記憶媒体を提供することを目的とする。
【０００８】
【課題を解決するための手段】
図１は、本発明の原理を説明するための図である。
【０００９】
本発明は、通信ネットワークサービスを提供するシステムにおけるアプリケーションロジックを必要とする付加的な論理アドレスサービスを起動させるための論理アドレスサービス起動方法において、
論理アドレスを管理する論理アドレス管理装置では、通信相手の認識に用いる論理アドレスである表論理アドレスに対するアドレスリストとして、アプリケーションを実行するアプリケーション実行装置への転送アドレスを保持し（ステップ１）、
付加的な論理アドレスサービスの実行に用いる論理アドレスである裏論理アドレスに対するアドレスリストとして、実サービスアドレスを保持し（ステップ２）、
アプリケーション実行装置では、付加的な論理アドレスサービスのアプリケーションロジックにより、実サービスアドレスを用いて付加的な論理アドレスサービスを実行する（ステップ５）。
【００１０】
また、本発明の論理アドレスサービス起動方法は、論理アドレス管理装置が、ネットワーク上の装置からの論理アドレス変換要求に対してアドレスリストとして転送アドレスを返却し（ステップ３）、
ネットワーク上の装置は、返却されたアドレスリスト中の転送アドレスにより、アプリケーション実行装置にアクセスすることで、アプリケーションロジックを起動する（ステップ４）。
【００１１】
また、本発明の論理アドレスサービス起動方法は、アプリケーション実行装置が、転送アドレスから一意に定まる裏論理アドレスを抽出する。
【００１２】
また、本発明の論理アドレスサービス起動方法は、アプリケーション実行装置が、論理アドレス管理装置に対し、裏論理アドレスのアドレス変換要求を行い、該論理アドレス管理装置から返却されたアドレスリスト中の実サービスアドレスを用いて、付加的な論理アドレスサービスを実行する。
【００１３】
図２は、本発明の原理構成図である。
【００１４】
本発明は、通信ネットワークサービスを提供するシステムにおけるアプリケーションロジックを必要とする付加的な論理アドレスサービスを起動させるための論理アドレス管理装置１であって、
通信相手の認識に用いる論理アドレスである表論理アドレスに対するアドレスリストとして転送アドレスを、付加的な論理アドレスサービスの実行に用いる論理アドレスである裏論理アドレスに対するアドレスリストとして、実サービスアドレスを保持するアドレス保持手段１１と、
論理アドレス変換要求に対してアドレスリストとして転送アドレスもしくは、実サービスアドレスを返却するアドレス応答手段１２と、を有する。
【００１５】
本発明は、通信ネットワークサービスを提供するシステムにおけるアプリケーションロジックを必要とする付加的な論理アドレスサービスを起動させるためのアプリケーション実行装置２であって、
実サービスアドレスを用いて付加的な論理アドレスサービスを実行するアプリケーション実行手段２１を有する。
【００１６】
本発明は、通信ネットワークサービスを提供するシステムにおけるアプリケーションロジックを必要とする付加的な論理アドレスサービスを起動させるための論理アドレス管理装置が実行する論理アドレスサービス管理プログラムであって、
通信相手の認識に用いる論理アドレスである表論理アドレスに対するアドレスリストとして転送アドレスを、付加的な論理アドレスサービスの実行に用いる論理アドレスである裏論理アドレスに対するアドレスリストとして、実サービスアドレスを記憶手段に保持させるステップと、
論理アドレス変換要求に対してアドレスリストとして転送アドレスもしくは、実サービスアドレスを返却するステップと、を実行する。
【００１７】
本発明は、通信ネットワークサービスを提供するシステムにおけるアプリケーションロジックを必要とする付加的な論理アドレスサービスを起動させるためのアプリケーション実行装置が実行する論理アドレスサービス起動プログラムであって、
転送アドレスに対して一意に定まる裏論理アドレスを抽出するステップと、
論理アドレス管理装置との間で論理アドレス変換を行うステップと、
付加的な論理アドレスサービスのアプリケーションロジックを実行するステップと、実行する。
【００１８】
本発明は、通信ネットワークサービスを提供するシステムにおけるアプリケーションロジックを必要とする付加的な論理アドレスサービスを起動させるための論理アドレス管理装置が実行する論理アドレスサービス管理プログラムを格納した記憶媒体であって、
通信相手の認識に用いる論理アドレスである表論理アドレスに対するアドレスリストとして転送アドレスを、付加的な論理アドレスサービスの実行に用いる論理アドレスである裏論理アドレスに対するアドレスリストとして、実サービスアドレスを記憶手段に保持させるステップと、
論理アドレス変換要求に対してアドレスリストとして転送アドレスもしくは、実サービスアドレスを返却するステップと、を実行するプログラムを格納する。本発明は、通信ネットワークサービスを提供するシステムにおけるアプリケーションロジックを必要とする付加的な論理アドレスサービスを起動させるためのアプリケーション実行装置が実行する論理アドレスサービス起動プログラムを格納した記憶媒体であって、
転送アドレスに対して一意に定まる裏論理アドレスを抽出するステップと、
論理アドレス管理装置との間で論理アドレス変換を行うステップと、
付加的な論理アドレスサービスのアプリケーションロジックを実行するステップと、実行するプログラムを格納する。
【００１９】
上記のように、本発明は、付加的な論理アドレスサービスのアプリケーションロジックを搭載して実行するアプリケーション実行装置を有し、論理アドレス管理装置では、表論理アドレスに対応するアドレスリストとしてアプリケーション実行装置への転送アドレスと、転送アドレスから一意に定まる裏論理アドレスに対応するアドレスリストとして実サービスのアドレス（実サービスアドレス）を保持し、アプリケーション実行装置では、アプリケーションロジックと論理アドレス管理装置が保持するアドレスリスト中の実サービスアドレスを使って付加的な論理アドレスサービスを実行する。
【００２０】
上記のように、本発明では、論理アドレス管理装置に実サービスのアドレスだけでなく転送アドレスも設定することにより、実サービスアドレスを利用して付加的な論理アドレスサービスを実行することが可能なアプリケーション実行装置への転送が可能となる。
【００２１】
【発明の実施の形態】
以下、図面と共に本発明の実施の形態を説明する。
【００２２】
図３は、本発明の一実施の形態におけるシステム構成図であり、ＳＩＰ（Ｓｅｓｓｉｏｎ　Ｉｎｉｔｉａｔｉｏｎ　Ｐｒｏｔｏｃｏｌ）　による通信において論理アドレスサービスを提供する場合のシステム構成を示す。
【００２３】
同図に示すシステムは、論理アドレス管理装置１、アプリケーション実行装置２、ＳＩＰプロキシ装置３、発側装置４、着側装置５及びネットワーク６から構成される。
【００２４】
論理アドレス管理装置１は、論理アドレスデータベース１１と論理アドレス管理アプリケーションロジック１２から構成される。論理アドレスデータベース１１は、論理アドレス１１１とそれに対応するアドレスリスト１１２をデータベースカラムとして持つデータベースである。
【００２５】
付加的な論理アドレスサービスを提供する際には、サービスにアクセスする際のキー情報となる表論理アドレスと、それに対応するアプリケーション実行装置２への転送アドレスをリストとして格納したアドレスリスト、さらに、論理アドレスサービスを実行する際のキー情報となる裏論理アドレスと、それに対応する実アドレスをリストとして格納したアドレスリストの２レコードを論理アドレスデータベース１１に設定しておく。
【００２６】
ここで裏論理アドレスとは、転送アドレスから一意に定まる第２の論理アドレスである。
【００２７】
また、アドレスリスト１１２中の実アドレスリストとは、例えば、論理番号でアクセスすると優先度を付けた複数のＳＩＰ通信の着信先を順番に呼び出すという付加サービスの場合は、着信優先度と着信先となるアドレスの組である。
【００２８】
アドレスリスト１１２へのアドレスの格納は、アドレス表記方法によって異なる。ＵＲＩ（Ｕｎｉｆｏｒｍ　Ｒｅｓｏｕｒｃｅ　Ｉｄｅｎｔｉｆｉｅｒｓ）のようにアドレス表記中に通信プロトコルが含まれる場合には、通信プロトコル毎にアプリケーション実行装置２への複数の転送アドレスをリストとして格納する。
【００２９】
アプリケーション実行装置２は、付加サービスアプリケーションロジック２１を有する。
【００３０】
ＳＩＰプロキシ装置３は、ＳＩＰ通信に必要となるＳＩＰプロキシ機能を搭載した装置である。
【００３１】
発側装置４は、ＳＩＰ通信の発側装置であり、ＳＩＰクライアント機能を搭載している。
【００３２】
着側装置５は、ＳＩＰ通信の着側装置であ、ＳＩＰクライアント機能を搭載している。
【００３３】
ネットワーク６は、論理アドレス管理装置１、アプリケーション実行装置２、ＳＩＰプロキシ装置３、発側装置４、着側装置５が接続されるネットワークであり、例えば、インターネットである。
【００３４】
次に、上記の構成における動作を説明する。
【００３５】
図４は、本発明の一実施の形態におけるシステム全体の動作のシーケンスチャートであり、図５は、本発明の一実施の形態における論理アドレス管理装置の論理アドレス管理アプリケーションロジックの動作のフローチャートであり、図６は、本発明の一実施の形態におけるアプリケーション実行装置の付加サービスアプリケーションロジックの動作のフローチャートである。
【００３６】
以下、図４〜図６を用いて、発側装置４が、ある論理アドレスで示される通信相手との間でＳＩＰによる呼の確立を試み、付加アプリケーションロジック１２によって着側装置５が選択され、発側装置４と着側装置５との間でＳＩＰの呼が確立するようなＳＩＰ通信における付加的な論理アドレスサービスの動作を説明する。
【００３７】
発側装置４は、ネットワーク６を介してＳＩＰプロキシ装置３にＳＩＰのｉｎｖｉｔｅメッセージを送る（ステップ２０１）。このとき、宛先を示すＲｅｑｕｅｓｔ−ＵＲＩに発側装置４が通信相手と認識している論理アドレス（以下、表論理アドレス）を指定する。
【００３８】
ＳＩＰプロキシ装置３では、ＳＩＰメッセージ中のＲｅｑｕｅｓｔ−ＵＲＩに含まれる表論理アドレスの実際のＳＩＰアドレス（ＵＲＩ）に変換するために、ネットワーク６を介して論理アドレス管理装置１にアドレス変換要求を行う（ステップ２０２）。
【００３９】
論理アドレス管理装置１では、論理アドレス管理アプリケーションロジック１２が図５に示す手順でアドレス変換要求を受け付けると（ステップ３０１）、アドレス変換要求された表論理アドレスに対するアドレスリストを論理アドレスデータベース１１から検索し（ステップ３０２）、応答電文を作成し（ステップ３０３）、ネットワーク６を介してＳＩＰプロキシ装置３にアドレス変換要求に対して応答する（ステップ３０４、ステップ２０３）。
【００４０】
アドレスリスト１１２には、アプリケーション実行装置２への転送アドレスを予め格納しておく。また、論理アドレスデータベース１１の別のレコードには、付加的な論理アドレスサービスの実行時に用いられるアドレス（以下、裏論理アドレス）とそれに対応するアドレスリストとして実サービスアドレスを格納しておく。図７の例では、１レコード目の論理アドレス“１２３４５６７”が論理アドレスサービスのアクセス時に用いられる表論理アドレスＲ５０１であり、２レコード目の論理アドレス“００１２３４５６７”が論理アドレスサービスの実行時に用いられる裏論理アドレスＲ５０２である。裏論理アドレスは、アドレスリストに格納される転送アドレスから一意に決定される必要がある。
【００４１】
ＳＩＰプロキシ装置３では、ＳＩＰ通信の呼を確立するために、アドレスリストの中からＳＩＰプロトコルの通信アドレスで、かつ優先度の高いものを選択し、ネットワーク６を介してアプリケーション実行装置２にＳＩＰのｉｎｖｉｔｅメッセージを転送する（ステップ２０４）。
【００４２】
アプリケーション実行装置２であ、付加サービスアプリケーションロジック２１が起動される。付加サービスアプリケーションロジック２１は図６に示すように、ＳＩＰメッセージ中の転送アドレスを受け付け（ステップ４０１）、裏論理アドレスを抽出し（ステップ４０２）、その裏論理アドレスに対する実アドレスを取得するために、ネットワーク６を介して論理アドレス管理装置１にアドレス変換要求を行う（ステップ４０３、ステップ２０５）。
【００４３】
論理アドレス管理装置１では、ＳＩＰプロキシ装置３からのアドレス変換要求時と全く同じ動作を行う。即ち、論理アドレス管理アプリケーションロジック１２が、アドレス変換要求を受け付け（ステップ３０１）、アドレス変換要求された裏論理アドレスに対するアドレスリストを論理アドレスデータベース１１から検索し（ステップ３０２）、応答電文を作成し（ステップ３０３）、ネットワーク６を介してアプリケーション実行装置２にアドレス変換要求応答を行う（ステップ３０４、ステップ２０６）。
【００４４】
付加サービスアプリケーションロジック２１は、アドレスリストの中から最も優先度の高い実アドレスに対してＳＩＰによる呼の確立を試みる付加アプリケーションの例を示す。
【００４５】
アドレス変換要求応答としてアドレスリストを受信（ステップ４０４）したアプリケーション実行装置２上の付加サービスアプリケーションロジック２１は、最も優先度の高いものを選択し（ステップ４０５）、ＳＩＰのメッセージをそのアドレスに対応する着側装置５に送信する（ステップ２０７）。
【００４６】
着側装置５が応答すると（ステップ２０８）、発側装置４と着側装置５との間でＳＩＰによる呼が確立する。
【００４７】
また、上記の実施の形態における論理アドレス管理装置１の論理アドレス管理アプリケーションロジック及びアプリケーション実行装置２の付加サービスアプリケーションロジックは、プログラムとして当該論理アドレス管理装置１及びアプリケーション実行装置２として利用されるコンピュータにインストールしておくものとする。
【００４８】
また、プログラムとしての論理アドレス管理アプリケーションロジック及び付加サービスアプリケーションロジックをそれぞれ、論理アドレス管理装置１、アプリケーション実行装置２として利用されるコンピュータに接続されるハードディスク装置や、フレキシブルディスク、ＣＤ−ＲＯＭ等の可搬記憶媒体に格納しておき、本発明を実施する際にインストールすることも可能である。
【００４９】
なお、本発明は、上記の実施の形態に限定されることなく、特許請求の範囲内において、種々変更・応用が可能である。
【００５０】
【発明の効果】
上述のように、本発明によれば、表論理アドレスに対するアドレスリストとして転送アドレスを、裏論理アドレスに対するアドレスリストとして実アドレスを論理アドレス管理装置で管理することにより、転送アドレスが示すアプリケーション実行装置において、付加的な論理アドレスサービスが起動可能になり、また、実アドレスを使った付加的な論理アドレスサービスの実行が可能になっている。
【図面の簡単な説明】
【図１】本発明の原理を説明するための図である。
【図２】本発明の原理構成図である。
【図３】本発明の一実施の形態におけるシステム構成図である。
【図４】本発明の一実施の形態におけるシステム全体の動作のシーケンスチャートである。
【図５】本発明の一実施の形態における論理アドレス管理装置の論理アドレス管理アプリケーションロジックの動作のフローチャートである。
【図６】本発明の一実施の形態におけるアプリケーション実行装置の付加サービスアプリケーションロジックの動作のフローチャートである。
【図７】本発明の一実施の形態における表論理アドレス及び裏論理アドレスに対応するアドレスリストの例である。
【符号の説明】
１　論理アドレス管理装置
２　アプリケーション実行装置
３　ＳＩＰプロキシ装置
４　発側装置
５　着側装置
６　ネットワーク
１１　論理アドレスデータベース
１２　アドレス応答手段、論理アドレス管理アプリケーションロジック
２１　アプリケーション実行手段、付加サービスアプリケーションロジック
１１１　論理アドレス
１１２　アドレスリスト
Ｒ５０１　表論理アドレス
Ｒ５０２　裏論理アドレス
【図１】
2004070754.tif 000003
【図２】
2004070754.tif 000004
【図３】
2004070754.tif 000005
【図４】
2004070754.tif 000006
【図５】
2004070754.tif 000007
【図６】
2004070754.tif 000008
【図７】
2004070754.tif 000009